(57)【要約】【課題】  防寒用品である従来のひざ掛けによる、体を動かすとずれたり落ちたりする、使用したまま立ち歩きが出来ない、容易に足・腹・腰・尻部を同時に温めることができない、という不都合を解決すること。【解決手段】  右前身頃と左前身頃を十分に重ねることにより、座ったときに重なり部分がずれにくくなる。従来のスカートの形状を持った１枚布になるよう仕上げ、前身頃に簡易固定用具をつけるため、立ち歩くことが出来る。また、簡易固定用具を使用するため、着脱が容易となる。巻きスカート状のため、足だけでなく腹・腰・尻部まで温かい。また、布地の選択により夏場の冷房による冷え対策ができ、布地の使い方により一層保温効果を高めることができる。【選択図】図１
2008144331.tif 000002
【特許請求の範囲】
【請求項１】
右前身頃あるいは左前身頃の重なり部分を脇線近傍まで十分に重ねた、ロング丈巻きスカート式防寒用品。前身頃・後身頃にダーツを入れる等、従来のスカートの形状を持った１枚布になるよう仕上げる。前身頃両脇に面ファスナーあるいは紐・釦等、着脱容易な固定用具を使用する。
【請求項２】
布地は特に限定しない。ただし、ロング丈巻きスカート式防寒用品完成時、立ち歩きの際簡易固定用具が外れない程度の重量の布地を使用する。腹部・腰部等部分的に特殊繊維を使用する、ロング丈巻きスカート式防寒用品の内側腹部・腰部等に特殊繊維を挟み込んで仕上げる等した場合、一層保温効果が高まる。また、ロング丈巻きスカート式防寒用品の内側腹部・腰部等にポケットをつける等した場合、特殊繊維等の出し入れが可能となる。
【発明の詳細な説明】
【技術分野】
【０００１】  本発明は、防寒用品に関するものである。
【背景技術】
【０００２】  従来から、足の冷えを防ぐための防寒用品として、ひざ掛けが多く使用されている。
【発明の開示】
【発明が解決しようとする課題】
【０００３】  しかし、従来のひざ掛けでは、体を動かすとずれたり落ちたりし、気になり掛けなおすという動作が必要である。また、ひざ掛けを使用したまま立ち歩くのは困難である。その他、接客や突然の来客等、防寒用品をすぐに取り外さなければならない場合がある。本発明は、以上のような欠点をなくすためになされたものである。
【課題を解決するための手段】
【０００４】  この課題を解決するための請求項１の発明は、右前身頃あるいは左前身頃のうち下になる前身頃を脇線近傍まで十分に布地を取り、右前身頃あるいは左前身頃を上に重ねる。身頃腰部にダーツを入れる等、従来のスカートの形状を持った１枚布になるよう仕上げる。前身頃腰部両端に面ファスナーあるいは紐・釦等、着脱容易な固定用具を付ける。【０００５】  ロング丈巻きスカート式防寒用品を着用時、自分で踏み、転倒しない程度の長さが望ましい。【０００６】  請求項２は、布地の素材を変えることにより、夏場の冷房による冷え対策、特殊繊維を使用した下半身の冷え対策等、用途が幅広くなる。但し、ロング丈巻きスカート式防寒用品完成時、簡易固定用具が外れない程度の重量の布地を使用する。
【発明の効果】
【０００７】  ロング丈巻きスカート式防寒用品を着用して座ったとき、重なり部分がずれにくく、温かい。ロング丈巻きスカート式防寒用品を着用して立ち歩くことが出来る。腰部にもたつきが無くすっきりし、シルエットがきれいになりおしゃれである。簡易固定用具を使用するため、着脱が容易である。【０００８】  ロング丈巻きスカート式防寒用品を着用時、足だけでなく腹・腰・尻部まで温かい。【０００９】  布地の素材を変えることにより、夏場の冷房による冷え対策、特殊繊維を使用した下半身の冷え対策等、用途が幅広くなる。特殊繊維を部分的に使用することにより、一層保温効果が高まる。また、特殊繊維等の出し入れを可能にした場合、多少の温度調節ができる。
【発明を実施するための最良の形態】
【００１０】  図１は、右前身頃（１）が上、左前身頃（２）が下の場合の図である。同図に示すように、左前身頃（２）を右脇線（５）近傍まで十分に布地を取り、右前身頃（１）を重ねるため、重なり部分がずれにくくなる。右前身頃（１）の腹部の幅は、左脇線（６）から５ｃｍ程度控える。【００１１】  腰周りの縁取り（４）、ダーツ（８）は、体型の形状を作るための１例である。その他、ヨーク等、従来のスカート腰部の構造でも良い。【００１２】  図３は、固定用具（７ａ）（７ｂ）固定用具（７ｃ）（７ｄ）は面ファスナーを使用した場合の図である。固定用具（７ａ）（７ｂ）固定用具（７ｃ）（７ｄ）は、着脱容易なものを使用する。固定用具（７ａ）（７ｂ）が面ファスナーの場合、面ファスナーの特長を生かし、長めに付けると腰周り寸法の調節が可能になる。この場合、固定用具（７ｃ）（７ｄ）は面ファスナーを使用する、あるいは紐をつけて結ぶ等、調節可能にしなければならない。但し、調節により重なり部分が少なくなると、座ったときに重なり部分が大幅にずれる可能性があるので注意が必要である。【００１３】  前身頃裾端（９）の形状は、丸みを帯びてもよい。【００１４】  図４は、ロング丈巻きスカート式防寒用品の内側腹部・腰部に特殊繊維（１０）を挟み込んで仕上げた場合の図である。また、特殊繊維（１０）部分をポケットにした場合、特殊繊維等の出し入れが可能となる。【００１５】  ロング丈巻きスカート式防寒用品完成時、立ち歩きの際簡易固定用具（７ａ）（７ｂ）簡易固定用具（７ｃ）（７ｄ）が外れない程度の重量の布地を使用する。
【図面の簡単な説明】
【００１６】
【図１】  ロング丈巻きスカート式防寒用品の固定用具の様子を示した図。
【図２】  ロング丈巻きスカート式防寒用品の正面図。
【図３】  図２の前身頃の重なり部分を示した断面図。
【図４】  ロング丈巻きスカート式防寒用品の内側腹部・腰部に特殊繊維を挟み込んで仕上げた場合の図。
【符号の説明】
【００１７】    １    右前身頃
２    左前身頃
３    後ろ身頃
４    腰周りの縁取り
５    右脇線
６    左脇線
７ａ  面ファスナー
７ｂ  面ファスナー
７ｃ  面ファスナー
７ｄ  面ファスナー
８    ダーツ
９    前身頃裾端
１０  特殊繊維
【図１】
2008144331.tif 000003
【図２】
2008144331.tif 000004
【図３】
2008144331.tif 000005
【図４】
2008144331.tif 000006
【手続補正書】
【提出日】平成19年6月15日(2007.6.15)
【手続補正１】
【補正対象書類名】明細書
【補正対象項目名】特許請求の範囲
【補正方法】変更
【補正の内容】
【特許請求の範囲】
【請求項１】
右前身頃あるいは左前身頃の重なり部分を脇線近傍まで十分に重ね、前身頃腰部両端に簡易固定用具を使用した着脱容易なロング丈巻きスカート式防寒用品。
【請求項２】
内側腹部・腰部等部分的に特殊繊維を使用した、請求項１に記載のロング丈巻きスカート式防寒用品。
【手続補正２】
【補正対象書類名】明細書
【補正対象項目名】０００４
【補正方法】変更
【補正の内容】
【０００４】  この課題を解決するための請求項１の発明は、右前身頃あるいは左前身頃のうち下になる前身頃を脇線近傍まで十分に布地を取り、右前身頃あるいは左前身頃を上に重ねる。身頃腰部は、ダーツを入れる等従来のスカート腰部の構造を用いる。前身頃腰部両端に面ファスナーあるいは紐・釦等、着脱容易な固定用具を付ける。
【手続補正３】
【補正対象書類名】明細書
【補正対象項目名】０００６
【補正方法】変更
【補正の内容】
【０００６】  請求項２は、ロング丈巻きスカート式防寒用品の保温効果をより一層高めるための手段である。
【手続補正４】
【補正対象書類名】明細書
【補正対象項目名】０００７
【補正方法】変更
【補正の内容】
【０００７】  ロング丈巻きスカート式防寒用品を着用して座ったとき、重なり部分がずれにくく、温かい。ロング丈巻きスカート式防寒用品を着用して立ち歩くことができる。腹部・腰部等に特殊繊維を使用した場合でももたつきが無くすっきりし、シルエットがきれいになりおしゃれである。簡易固定用具の使用が前身頃両脇２箇所であるため、着脱が容易である。
【手続補正５】
【補正対象書類名】明細書
【補正対象項目名】０００９
【補正方法】変更
【補正の内容】
【０００９】  特殊繊維を部分的に使用することにより、一層保温効果が高まる。
【手続補正６】
【補正対象書類名】明細書
【補正対象項目名】００１４
【補正方法】変更
【補正の内容】
【００１４】  図４は、ロング丈巻きスカート式防寒用品の内側腹部・腰部に特殊繊維（１０）を挟み込んで仕上げた場合の図である。
【手続補正７】
【補正対象書類名】明細書
【補正対象項目名】００１５
【補正方法】変更
【補正の内容】
【００１５】  布地の素材を変えることにより、夏場の冷房による冷え対策、特殊繊維を使用した下半身の冷え対策等、用途が幅広くなる。よって、布地は特に限定しない。但し、ロング丈巻きスカート式防寒用品完成時、立ち歩きの際簡易固定用具（７ａ）（７ｂ）簡易固定用具（７ｃ）（７ｄ）が外れない程度の重量の布地を使用する。
【手続補正書】
【提出日】平成19年11月26日(2007.11.26)
【手続補正１】
【補正対象書類名】特許請求の範囲
【補正対象項目名】全文
【補正方法】変更
【補正の内容】
【特許請求の範囲】
【請求項１】
右前身頃端・左前身頃端の腰部から裾の布地を脇線近傍まで十分に取って重ね合わせ、前身頃腰部両端に簡易固定用具を使用した着脱容易なロング丈巻きスカート式防寒用品。
【手続補正２】
【補正対象書類名】明細書
【補正対象項目名】０００４
【補正方法】変更
【補正の内容】
【０００４】  この課題を解決するための請求項１の発明は、右前身頃端・左前身頃端の腰部から裾の布地を脇線近傍まで十分に取り、右前身頃と左前身頃を重ねる。身頃腰部は、ダーツを入れる等従来のスカート腰部の構造を用いる。前身頃腰部両端に面ファスナーあるいは紐・釦等、着脱容易な固定用具を付ける。
【手続補正３】
【補正対象書類名】明細書
【補正対象項目名】０００６
【補正方法】変更
【補正の内容】
【０００６】  布地の素材を変えることにより、夏場の冷房対策、下半身の冷え対策ができる。
【手続補正４】
【補正対象書類名】明細書
【補正対象項目名】０００７
【補正方法】変更
【補正の内容】
【０００７】  ロング丈巻きスカート式防寒用品を着用して座ったとき、右前身頃端・左前身頃端の腰部から裾の布地を脇線近傍まで十分に取っている為、裾端の布が脇線下方に垂れ、重なり部分のずれが最小限に納まり、開けることが無く温かい。ロング丈巻きスカート式防寒用品を着用して立ち歩くことができる。簡易固定用具の使用が前身頃両脇２箇所であるため、着脱が容易である。
【手続補正５】
【補正対象書類名】明細書
【補正対象項目名】０００９
【補正方法】変更
【補正の内容】
【０００９】  布地の素材を部分的に変えることにより、一層保温効果を高めることができる。
【手続補正６】
【補正対象書類名】明細書
【補正対象項目名】００１４
【補正方法】変更
【補正の内容】
【００１４】  図４は、ロング丈巻きスカート式防寒用品の内側腹部・腰部に保温効果の高まる布地を使用した場合の図である。
【手続補正７】
【補正対象書類名】明細書
【補正対象項目名】００１５
【補正方法】変更
【補正の内容】
【００１５】  布地は特に限定しない。但し、ロング丈巻きスカート式防寒用品完成時、立ち歩きの際簡易固定用具（７ａ）（７ｂ）簡易固定用具（７ｃ）（７ｄ）が外れない程度の重量の布地を使用する。
【手続補正８】
【補正対象書類名】明細書
【補正対象項目名】００１６
【補正方法】変更
【補正の内容】
【００１６】
【図４】ロング丈巻きスカート式防寒用品の内側腹部・腰部に保温効果の高まる布地を使用した場合の図
【手続補正９】
【補正対象書類名】明細書
【補正対象項目名】００１７
【補正方法】変更
【補正の内容】
【００１７】  １０  保温効果の高まる布地
【手続補正書】
【提出日】平成20年2月28日(2008.2.28)
【手続補正１】
【補正対象書類名】手続補正書
【補正対象項目名】手続補正８
【補正方法】変更
【補正の内容】
【手続補正８】
【補正対象書類名】明細書
【補正対象項目名】００１６
【補正方法】変更
【補正の内容】
【００１６】
【図１】ロング丈巻きスカート式防寒用品の固定用具の様子を示した図。
【図２】ロング丈巻きスカート式防寒用品の正面図。
【図３】図２の前身頃の重なり部分を示した断面図。
【図４】ロング丈巻きスカート式防寒用品の内側腹部・腰部に保温効果の高まる布地を使用した場合の図